(57)【特許請求の範囲】
【請求項１】
衛星放送波を反射するパラボラ状反射器において、
該反射面が複数の導体面に分割されており、そのうちの略線対称となる１組の導体面がＵＨＦ帯用放射器とされ、残る導体面が該ＵＨＦ帯用放射器に影響を与えない寸法形状とされていることを特徴とするパラボラ状反射器。
【請求項２】
請求項１記載のパラボラ状反射器を備え、該パラボラ状反射器のほぼ焦点位置に配置された衛星放送給電部と、
上記パラボラ状反射器を回転可能に支持する基台とを備え、
上記パラボラ状反射器を回転させることにより、水平偏波あるいは垂直偏波のＵＨＦ帯波を受信するようにしたことを特徴とする可搬型テレビアンテナ。
【請求項３】
上記基台にＶＨＦ帯波を受信できるアンテナ素子が、さらに備えられていることを特徴とする請求項２記載の可搬型テレビアンテナ。
【請求項４】
上記基台内に受信された信号を混合する混合器が少なくとも内蔵されていることを特徴とする請求項２あるいは３記載の可搬型テレビアンテナ。
【発明の詳細な説明】
【０００１】
【発明の属する技術分野】
本発明は、ＢＳ放送等の衛星放送と、ＵＨＦ帯波を少なくとも受信可能なパラボラ状反射器、およびこのパラボラ状反射器を備える可搬型テレビアンテナに関するものである。
【０００２】
【従来の技術】
従来の可搬型テレビアンテナとしては、室内用テレビアンテナが知られている。この室内用テレビアンテナは、一般に、ＶＨＦ帯とＵＨＦ帯がその受信帯域とされている。
【０００３】
【発明の解決しようとする課題】
最近、ＢＳ放送受信用コンバータ内蔵のテレビ受像機やビデオテープレコーダが普及されて、室内や屋外において衛星放送を手軽に楽しもうとする要望が高まりつつある。
しかしながら、ＢＳ放送受信アンテナは弱電界での使用を考慮に入れると、オフセットパラボラアンテナでは約３５ｃｍ程度の径が必要とされるため、従来のＶＨＦ／ＵＨＦ室内アンテナのようなコンパクト化は困難とされていた。したがって、室内や屋外において、ＵＨＦ放送およびＢＳ放送を手軽に受信できる可搬型テレビアンテナは実現されていなかった。
【０００４】
そこで、本発明は室内や屋外において、ＵＨＦ放送およびＢＳ放送を手軽に受信できるパラボラ状反射器および可搬型テレビアンテナを提供すること、およびさらに加えてＶＨＦ放送を受信できる可搬型テレビアンテナを提供することを目的としている。
【０００５】
【課題を解決するための手段】
上記目的を達成するために、本発明のパラボラ状反射器は、衛星放送波を反射するパラボラ状反射器において、該反射面が複数の導体面に分割されており、そのうちの略線対称となる１組の導体面がＵＨＦ帯用放射器とされ、残る導体面が該ＵＨＦ帯用放射器に影響を与えない寸法形状とされているものである。
【０００６】
また、上記目的を達成する本発明の可搬型テレビアンテナは、上記のパラボラ状反射器を備え、該パラボラ状反射器のほぼ焦点位置に配置された衛星放送給電部と、上記パラボラ状反射器を回転可能に指示する基台とを備え、上記パラボラ状反射器を回転させることにより、水平偏波あるいは垂直偏波のＵＨＦ帯波を受信するようにしたものである。
また、上記可搬型テレビアンテナにおいて、上記基台にＶＨＦ帯波を受信できるアンテナ素子が、さらに備えられているものであり、
さらに、上記基台内に受信された信号を混合する混合器が少なくとも内蔵されているようにしたものである。
【０００７】
このようなパラボラ反射器によれば、ＢＳ放送等の衛星放送受信用の反射鏡と、ＵＨＦ帯用の放射器とを兼用することができる。
そして、このパラボラ反射器を備える可搬型テレビアンテナは、反射器が衛星放送とＵＨＦ帯とで兼用されているので、コンパクト化された衛星放送とＵＨＦ帯を受信できるテレビアンテナとすることができ、可搬性に優れたものとすることができる。したがって、室内や室外において手軽にＢＳ放送やＵＨＦ放送を楽しめることができるようになる。
さらに、可搬型テレビアンテナにはＶＨＦ帯用のアンテナ素子を備えることもできる。
【０００８】
【発明の実施の形態】
本発明のパラボラ状反射器の実施の形態の構成例を図１に示す。図１（ａ）はパラボラ状反射器の正面図であり、同図（ｂ）は同図１（ａ）に示すパラボラ状反射器のＡ−Ａ断面図である。
図１（ｂ）に示すように、パラボラ反射面の上下および左右を切り取った略長方形状とされたパラボラ状基板５は、絶縁性の合成樹脂等で一体成型されており、パラボラ状基板５の凹面部に導体面が形成されている。これにより、パラボラ状反射器１０が構成されている。
この導体面は金属箔を貼着したり、導電塗料の塗布、あるいは金属材料を蒸着することにより形成されている。そして、このパラボラ状反射器１０の特徴点は、導体面に複数本のスリット３−１〜３−６が形成されている点である。
【０００９】
すなわち、導体面には、パラボラ状反射器１０の中央に向かう斜めの４本のスリット３−１，３−２，３−３，３−４とほぼ垂直の２本のスリット３−５，３−６が図１（ａ）に示すように形成されている。これにより、導体面は６つの導体面に分割されて、互いに直流的に分離される。
この分割された導体面の線対称とされる１組の導体面１−１と１−２がＵＨＦ帯用の放射器とされる。すなわち、ＵＨＦアンテナとされる。また、この１組の導体面１−１と１−２は、パラボラ状曲面とされていることからＢＳ放送の反射鏡とされる。そして、残るパラボラ状曲面の一部とされている４つの導体面２−１，２−２，２−３，２−４はＢＳ反射鏡として使用される。
【００１０】
この場合、１組のＵＨＦアンテナ／ＢＳ反射鏡１−１，１−２は略扇形とされるが、パラボラ状反射器１０の略中央部に向かって収斂しているが、その中央部に収斂する部分にそれぞれ給電点４が設けられている。また、ＵＨＦアンテナ／ＢＳ反射鏡１−１，１−２の扇の開き角θは、例えば９０°とされている。
ここで、４つのＢＳ反射鏡２−１〜２−４が２本のスリット３−５，３−６により、４つの導体面に分割されている理由を説明する。ＢＳ反射鏡２−１〜２−４はＵＨＦアンテナ／ＢＳ反射鏡１−１，１−２に隣接されており、ＵＨＦ帯の波長に対し無視できない長さとされているとＢＳ反射鏡２−１〜２−４の影響により、ＵＨＦアンテナ／ＢＳ反射鏡１−１，１−２のＵＨＦアンテナとしての性能が劣化する。そこで、２本のスリット３−５，３−６をほぼ中央部に形成して４つのＢＳ反射鏡２−１〜２−４に分割することによりそれぞれの長さを短くし、ＵＨＦアンテナの性能の劣化を防止しているのである。
【００１１】
また、スリット３−１〜３−６の幅ｄは、例えば約２ｍｍとされているが、スリット３−１〜３−６の幅ｄを大きくすれば、ＵＨＦアンテナ／ＢＳ反射鏡１−１，１−２のＵＨＦアンテナに与えるＢＳ反射鏡２−１〜２−４の影響をより小さくすることができるが、スリット３−１〜３−６の幅ｄを大きくすると、ＢＳ反射鏡の実効面積が減少し、受信されるＢＳ放送の受信感度が劣化することになる。
そこで、両条件を勘案してスリット３−１〜３−６の幅ｄを２ｍｍとしているが、スリット３−１〜３−６の幅ｄを２ｍｍに特定する必要はない。
さらに、パラボラ状反射器１０の長辺は、例えば約２８ｃｍとされ、短辺は約１８ｃｍとされている。
【００１２】
次に、パラボラ状反射器１０の変形例を図２に示し、図３にその変形例のＵＨＦアンテナのＶＳＷＲ（電圧定在波比）特性を示す。ただし、パラボラ状反射器１０の長辺は、例えば２８ｃｍとされ、短辺は１８ｃｍとされている。なお、図２（ｃ）に示すパラボラ状反射器１０の構成は図１に示す構成と同一である。
図２（ａ）に示すパラボラ状反射器１０は、導体面として１組のＵＨＦアンテナ／ＢＳ反射鏡１−１，１−２だけを形成するようにしたものである。この場合は、三角状のＢＳ反射鏡が形成されていないため、１組のＵＨＦアンテナ／ＢＳ反射鏡１−１，１−２に隣接する導体面はない。従って、ＵＨＦアンテナとしての性能の劣化はない。
このように構成されたパラボラ状反射器１０におけるＵＨＦアンテナのＶＳＷＲ特性を図３（ａ）に示すが、ＶＳＷＲが約１．０近辺とされた周波数帯域が広く極めて良好な特性となっている。
【００１３】
次に、図２（ｂ）に示すパラボラ状反射器１０は、導体面として１組のＵＨＦアンテナ／ＢＳ反射鏡１−１，１−２と、スリットの形成されていない大きな三角形状の２つのＢＳ反射鏡２−２，２−３が形成されている。この変形例は、スリット３−５およびスリット３−６が形成されないため、ＵＨＦアンテナ／ＢＳ反射鏡１−１，１−２に大きな三角形状のＢＳ反射鏡２−２，２−３が隣接するようになる。この三角形状のＢＳ反射鏡２−２，２−３の大きさは、ＵＨＦ帯の波長に比して無視することができない寸法とされているため、ＵＨＦアンテナとしての性能は劣化するようになる。
このように構成されたパラボラ状反射器１０におけるＵＨＦアンテナのＶＳＷＲ特性を図３（ｃ）に示すが、ＶＳＷＲが略３．０以上とされ、劣化した特性となっている。
【００１４】
図２（ｃ）に示すパラボラ状反射器１０の構成は図１に関して前述した通りであり、このパラボラ状反射器１０におけるＵＨＦアンテナのＶＳＷＲ特性を図３（ｂ）に示すが、ＶＳＷＲは略２．０近辺とされて良好な特性となっている。
なお、図３に示すＵＨＦアンテナのＶＳＷＲ特性毎に図示されているパラボラ状反射器において、ＡはＵＨＦアンテナ／ＢＳ反射鏡を示しており、ＢはＢＳ反射鏡を示している。
【００１５】
次に、図１に示すパラボラ状反射器１０を備える本発明の可搬型テレビアンテナの実施の形態の斜視図を図４に示す。
この図において、１組のＵＨＦアンテナ／ＢＳ反射鏡１−１，１−２と、ＢＳ反射鏡２−２〜２−４とが備えられているパラボラ状反射器１０は、オフセットパラボラとされており、中心部を支点として略９０°回転可能に基台６に取り付けられている。さらに、パラボラ状反射器１０は基台６に対して仰角が所定角度範囲内において調整可能とされている。また、パラボラ状反射器１０の焦点位置にＢＳ給電部９が配置されている。
さらに、基台６には一対のテレスコープ式のＶＨＦアンテナ７が傾きを自在にできるように設けられている。この基台６は合成樹脂等により一体成型されて形成されている。
【００１６】
この可搬型テレビアンテナを使用してＢＳ放送を受信する時には、パラボラ状反射器１０をある程度衛星の位置へ向け、次いで基台６に対してパラボラ状反射器１０の仰角および方位角を調整するようにする。これによりＢＳ放送を受信することができる。
また、ＵＨＦ帯を受信する場合に、ＵＨＦ波が水平偏波の時はパラボラ状反射器１０を図示する位置とし、垂直偏波の時はパラボラ状反射器１０を９０°回転させて縦長とする。これにより、水平偏波であっても垂直偏波であっても受信することができるようになる。
【００１７】
さらに、ＶＨＦ帯を受信する場合は１対のＶＨＦアンテナ７の長さを受信する波長に応じて調整すると共に、その開き角をある程度調整する。さらに、切換スイッチ８を最適の画像が受信されるように切り換える。
また、各アンテナで受信された信号を、基台６内に内蔵されている混合器で混合し、さらに内蔵された増幅器で増幅して出力するようにしてもよい。このようにすると、より良好に受信することができると共に、可搬型アンテナから引き出されるケーブルが１本とされるので、取り扱いが容易になる。なお、ＢＳ−ＩＦ信号だけは独立したケーブルで引き出すようにしてもよい。
【００１８】
以上、ＢＳ放送とＵＨＦ帯を受信できるパラボラ状反射器と、このパラボラ反射鏡を備える可搬型テレビアンテナを説明したが、パラボラ反射鏡に形成されている導体面の分割形状は図１および図２に示す形状に限らず、特にＢＳ反射鏡についてはより小さく分割されるようにしてもよい。
また、ＵＨＦアンテナ／ＢＳ反射鏡の扇の開き角は、一般に３０°〜９０°とされるが、これに限られるものではなく３０°以下としても、９０°以上としてもよい。ただし、開き角を小さくした場合には、ＢＳ放送だけを反射するＢＳ反射鏡の導体面を、４分割を越えてさらに細かく分割するようにした方がよい。これは、ＵＨＦアンテナの性能を劣化させないためである。
【００１９】
なお、以上の説明ではパラボラ状反射器１０の長辺を約２８ｃｍとし、短辺を約１８ｃｍとして説明したが、本発明はこれに限ることはない。さらに、パラボラ状反射器の形状は長方形状に限らず楕円あるいは円形の上下を切り取った形状としてもよいものである。
【００２０】
【発明の効果】
本発明は以上のように構成されているので、パラボラ状反射器はＢＳ放送等の衛星放送受信用の反射鏡とＵＨＦ帯用の放射器とを兼用することができる。
そして、このパラボラ状反射器を備える可搬型テレビアンテナは、反射器がＢＳ放送とＵＨＦ帯で兼用されているので、コンパクト化された衛星放送とＵＨＦ帯を受信できるテレビアンテナとすることができ、可搬性に優れたものとすることができる。
したがって、室内や室外において手軽にＢＳ放送やＵＨＦ放送を楽しめることができる。
さらに、可搬型テレビアンテナにはＶＨＦ帯用のアンテナ素子を備えることもできる。
【図面の簡単な説明】
【図１】本発明のパラボラ状反射器の実施の形態の構成を示す図である。
【図２】本発明のパラボラ状反射器の変形例の構成を示す図である。
【図３】本発明のパラボラ状反射器の変形例の各ＶＳＷＲ特性を示す図である。
【図４】本発明の可搬型テレビアンテナの斜視図である。
【符号の説明】
１−１，１−２  ＵＨＦアンテナ／ＢＳ反射鏡
２−１〜２−４  ＢＳ反射鏡
３−１〜３−６  スリット
４  給電点
５  パラボラ状基板
６  基台
７  ＶＨＦアンテナ
８  切換スイッチ
９  ＢＳ給電部
１０  パラボラ状反射器
【図１】
0003648314.tif 000002
【図２】
0003648314.tif 000003
【図３】
0003648314.tif 000004
【図４】
0003648314.tif 000005